【事件の表示】
　平成　８年特許願第３２４０４８号「パチンコ機」拒絶査定不服審判事件〔平成１０年　６月１６日出願公開、特開平１０−１５５９７８〕について、次のとおり審決する。
【結　論】
　本件審判の請求は、成り立たない。
【理　由】
　
第一、手続きの経緯
　本願は、平成８年１２月４日の出願であって、平成１９年９月７日付けで拒絶理由が通知され、これに対し、平成１９年１１月２日付けで手続補正がなされ、同年１２月６日付けで拒絶査定がなされ、これに対し、平成２０年１月１０日に拒絶査定不服の審判請求がなされるとともに、同年１月１６日付け手続補正書によって明細書の一部が補正されたものである。
　
第二、平成２０年１月１６日付けの手続補正についての補正却下の決定
［補正却下の決定の結論］
　平成２０年１月１６日付けの手続補正（以下、「本件補正」という。）を却下する。
［理由］
　（１）補正前・後の本願発明　　
　本件補正は、補正前（平成１９年１１月２日付け手続補正により補正された特許請求の範囲）の請求項１乃至４のうち、請求項１に記載された、
　「　盤面に配置され、大当り動作として開放され、所定時間経過後、又は所定個数の遊技球の入賞により閉止される第１入賞口と、
　前記盤面上における前記第１入賞口へ入賞する前記遊技球の経路途中に配置された第２入賞口と、
　少なくとも前記第１入賞口の開放動作中は、前記遊技球が通過し、又は入賞したときに前記第２入賞口を所定時間開放し、又は開閉を繰り返すようにさせるための作動口と、
を有することを特徴とするパチンコ機。」を、
　「　盤面に配置され、大当り動作として開放され、所定時間経過後、又は所定個数の遊技球の入賞により閉止される第１入賞口と、
　前記盤面上における前記第１入賞口
よりも上方に
　
前記大当り
させる
を有することを特徴とするパチンコ機。」と補正するものである（下線部は補正部分）。
　
　上記補正は、　
　イ）補正前の特許請求の範囲の請求項１に記載された発明を特定するために必要な事項である「第２入賞口」の修飾語句について「第１入賞口へ入賞する（前記）遊技球の経路途中に配置された」を「第１入賞口よりも上方に配置された」と補正し、
　ロ）同「少なくとも（前記）第１入賞口の開放動作中は、」を「（前記）大当り動作中は、」と補正し、
　ハ）同「作動口」の修飾語句について「（前記）第２入賞口を所定時間開放し、又は開閉を繰り返すようにさせるための」を「（前記）第２入賞口を所定時間開放させる」と補正するものである。
　ここで、上記イ）の補正について検討すると、遊技球は上方から下方へ流下するものであって、「入賞口よりも上方」とは遊技球が流下して当該入賞口へ入賞する「遊技球の経路途中」であると認められるから、当該補正は特許請求の範囲を減縮するものであり、
　上記ロ）の補正においては、パチンコ機の技術常識を踏まえれば実質的な変更は無く、
　上記ハ）の補正は、択一的要素の削除であって特許請求の範囲の限定的減縮に相当するから、本件補正は、平成１８年法律第５５号改正附則第３条第１項によりなお従前の例によるとされる同法による改正前の特許法第１７条の２第４項第２号の特許請求の範囲の減縮を目的とするものに該当する。
　
　（２）そこで、本件補正後の請求項１に記載された発明（以下、「本願補正発明」という。）が特許出願の際独立して特許を受けることができるものであるのか（上記改正前の特許法第１７条の２第５項において準用する同法第１２６条第５項の規定に適合するか）について以下に検討する。
　
　（あ）刊行物に記載された発明
刊行物１；特開平６−３３５５６２号公報
　
　原査定の拒絶理由通知に引用された、特開平６−３３５５６２号公報（以下、「引用刊行物１」という。）には、以下の記載がある（なお、符号「２３」の用語として「特別入賞口」と「特定入賞口」とを混用しているが、【符号の説明】の欄の記載に基づき、「特別入賞口」の用語を採用した。）。
　（１−１）「（５４）【発明の名称】　パチンコ機
　（５７）【要約】
・・・
【構成】　特別図柄表示装置６が大当り表示となったときに、普通図柄表示装置１０の当り確率を、大当り作動が完了するまで高確率に維持するようにした。」、　
　（１−２）「【００１３】
【実施例】添付図面について本発明の実施例を説明する。
【００１４】図１は、一実施例のパチンコ機１の正面図であって、・・・。遊技盤３の盤面中央にはセンターケース４が配設され、該センターケース４の中央に特別図柄表示装置６を構成する三個の７セグメント指示器やドットマトリックス等からなる特別図柄表示器Ｃ，Ｄ，Ｅが並設されている。前記特別図柄表示器Ｃ，Ｄ，Ｅは、「０」〜「９」，「Ａ」，「Ｊ」，「Ｌ」…等、数字及びアルファベット等からなる図柄が表示される。・・・
【００１５】さらには前記センターケース４の上部には７セグメント指示器からなる普通図柄表示器Ａ，Ｂで構成された普通図柄表示装置１０が配設されている。この普通図柄表示器Ａ，Ｂの表示図柄は例えば「７」を含む図柄とし、「７７」表示等の場合に当りとする。・・・
【００１６】センターケース４の両側下方には、光電スイッチ、リミットスイッチ等により構成される検出スイッチＳ１（図２参照）を備える普通図柄始動ゲート（普通図柄始動通路）１３，１３が設けられている。この普通図柄始動ゲート１３，１３に、遊技球が通過して該検出スイッチＳ１ による球検知信号が発生すると、中央制御装置ＭＰＵの指令により普通図柄表示駆動回路を介して普通図柄表示装置１０が駆動開始し、当り又はハズレ表示をすることとなる。この普通図柄始動ゲート１３，１３は、玉を遊技盤裏方向へ通過させて入賞玉とする入賞口により構成しても良い。
【００１７】さらに特別図柄表示装置６の直下位置には該特別図柄表示装置６を作動させるための特別図柄始動口（特別図柄始動通路）１４ａが設けられる。また特別図柄始動口１４ａの側方には普通変動入賞装置１５が配設される。この普通変動入賞装置１５はその開閉翼片対１６，１６の起立状態で、入賞口を遮蔽する閉鎖位置と、開閉翼片対１６，１６が逆八形傾動して入賞口へ遊技球を案内する開放位置とにソレノイドにより変換制御されるものである。この普通変動入賞装置１５は、普通図柄表示装置１０が当り表示となると開放駆動する。・・・
【００１８】そして、前記特別図柄始動口１４ａ，１４ｂは、光電スイッチ、リミットスイッチ等により構成される検出スイッチＳ２ （図２参照）を備え、通常の入賞口と同様に、その遊技球の通過に伴って所定数の景品球を発生させると共に、検出スイッチＳ２ による球検知に伴って、中央制御装置ＭＰＵの指令により図柄表示駆動回路を介して前記特別図柄表示装置６を駆動する。
【００１９】前記普通変動入賞装置１５のさらに下方には、幅広の特別入賞口２３を備えた特別変動入賞装置２２が配設されている。この特別変動入賞装置２２は、蓋体２４をソレノイドにより前後方向に開放することにより、該蓋体２４の案内作用により、特別入賞口２３に遊技球を案内する公知構成からなり、前記特別入賞口２３の中央部を特定領域２５として、後述するように該特定領域２５に遊技球が入ると、連続開放作動を生ずるようにしている。」、　
　（１−３）「【００２０】次にかかる構成の作動につき説明する。
【００２１】遊技盤３に遊技球が打ち出されて、普通図柄始動ゲート１３，１３を通過すると、前記普通図柄表示装置１０が駆動開始して、例えば「７」を含む図柄で変動開始し、約１０秒で停止する。そして「７７」表示の場合には、これを当りとする。この当りの場合には、前記普通変動入賞装置１５が開放状態となって開閉翼片対１６，１６が約５．８秒間開放する。尚、この当り作動は往復開閉作動としても良い。・・・開放した普通変動入賞装置１５は、後述するように、所定時間経過するか、所定個数入賞することにより閉鎖状態となる。
【００２２】前記特別図柄始動口１４を遊技球が通過すると、景品球の供給と共に特別図柄表示装置６が駆動する。・・・
【００２３】前記特別図柄始動口１４への球通過に伴って、特別図柄表示装置６が駆動すると、図柄表示駆動回路による切換制御により特別図柄表示器Ｃ，Ｄ，Ｅは変動を開始し、約８秒程度経過すると、特別図柄表示器Ｃ，Ｄ，Ｅの順番に変動が停止する。・・・
【００２４】一方、この特別図柄表示器Ｃ，Ｄ，Ｅが例えば「１１１」、「２２２」、「３３３」、「４４４」、「ＡＡＡ」等、数字又はアルファベットからなる図柄が同一となる等の大当り表示となった場合には、・・・特別変動入賞装置２２のソレノイドが駆動し、蓋体２４が前方に傾動して特別入賞口２３が開放し、規定入賞数である１０個の遊戯球が入賞するか、最長開口時間の約３０秒間経過するかのどちらかの条件を満足すると、一旦開放動作を終了する。この特別入賞口２３にあっては、特定領域２５を通過した時には連続駆動し、その開放動作終了後に再び特別入賞口２３が開放する。この連続作動の回数は初回開放を含め最高１６回までとする。」、　
　（１−４）「【００３７】ところで上述の大当り作動にあっては、通常遊技遊技盤３の盤面に打ち出された玉の殆どが前記特定入賞口２３内に流入して、１０個の制限個数を瞬く間に消化し、ほぼ１５秒程度で次の大当り作動に移行し、最長開口時間（約３０秒）が有効に生かされないと言う問題点がある。そこで、本発明では図４の普通図柄サブルーチンにより、入賞玉の分散化をはかり、特定入賞口２３への入賞を緩徐に行ない得るようにしている。」、
　（１−５）「【００４３】かかる作動にあって、大当り作動中は、普通図柄表示装置１０は、当り確率の高い乱数テーブルに移行し、普通図柄始動ゲート（普通図柄始動通路）１３，１３を遊技球が通過すると、高確率で当り表示が発生し、普通変動入賞装置１５が頻繁に開放駆動することとなる。このため、遊技盤３の盤面に打ち出された玉の一部は普通変動入賞装置１５に捕捉され、特別変動入賞装置２２に捕捉される数が減少する。このため、入賞玉の発生が分散されて、前記特定入賞口２３内に流入して、１０個の制限個数の消化が緩徐になされ、制限時間（約３０秒）が有効に生かされることとなる。
【００４４】上述の構成は、大当り作動の時には、一律に高確率の乱数テーブルへ移行するようにしたものであるが、その他種々の変化に富んだ態様を実現でき、以下にその例を説明する。
【００４５】・・・
【００４６】図６は、確率の高い乱数テーブルを大当りの出目によってランク分けした構成を示すフローチャートである。すなわち、特別図柄表示装置６の可変表示器Ｃ，Ｄ，Ｅが「７７７」となったときには、乱数テーブルの当り確率を１／３とし、「３３３」となったときには、乱数テーブルの当り確率を１／５とし、これ以外の当りの組み合わせのときには１／１０とするようにしても良い。尚、このとき低確率時における乱数テーブルは１／３０とする。」、
　（１−６）「【００４９】
【発明の効果】本発明は、上述したように、特別図柄表示装置６が大当り表示となったときに、普通図柄表示装置１０の当り確率を、大当り作動が完了するまで高確率に維持するようにしたから、大当り中に、高頻度で普通変動入賞装置１５が開放作動することとなるため、次の効果がある。
【００５０】・・・大当り作動中に盤面に打ち出された玉は、特別変動入賞装置２２のみならず普通変動入賞装置１５によっても捕捉される。このため、入賞玉の分散化を生じて、特別変動入賞装置２２による玉の捕捉を緩徐することができ、特別変動入賞装置２２の規定入賞数（例えば１０個）の玉消化時間が長くなり、特別変動入賞装置の開口時間が最長開口時間（例えば３０秒）に近付き、可及的に長時間の大当り作動が可能となり、遊技者の大当りを楽しむ時間が長くなる。」。　
　　　　　
　したがって、これらの記載をまとめると、引用刊行物１には、
「　遊技盤３の盤面中央に配設されたセンターケース４の中央には特別図柄表示装置６を構成する三個の特別図柄表示器Ｃ，Ｄ，Ｅが並設され、
　前記センターケース４の上部には普通図柄表示器Ａ，Ｂで構成された普通図柄表示装置１０が配設され、
　前記センターケース４の両側下方には普通図柄始動ゲート１３，１３が設けられ、
　さらに前記特別図柄表示装置６の直下位置には該特別図柄表示装置６を作動させるための特別図柄始動口１４ａが設けられ、また該特別図柄始動口１４ａの側方には普通変動入賞装置１５が配設され、
　前記普通変動入賞装置１５の下方には、幅広の特別入賞口２３を備えた特別変動入賞装置２２が配設されており、
　遊技盤３に遊技球が打ち出されて、普通図柄始動ゲート１３，１３を通過すると、前記普通図柄表示装置１０が約１０秒変動し、「７７」図柄を停止表示する当りの場合には、前記普通変動入賞装置１５が開放状態となって開閉翼片対１６，１６が約５．８秒間開放し、所定時間経過するか、所定個数入賞することにより閉鎖状態となり、
　前記特別図柄始動口１４ａを遊技球が通過すると、前記特別図柄表示装置６を構成する三個の特別図柄表示器Ｃ，Ｄ，Ｅは変動を開始し、約８秒程度経過すると、特別図柄表示器Ｃ，Ｄ，Ｅの順番に変動が停止して、数字又はアルファベットからなる図柄が同一となる等の大当り表示となった場合には、前記特別入賞口２３が開放し、規定入賞数である１０個の遊戯球が入賞するか、最長開口時間の約３０秒間経過するかのどちらかの条件を満足すると、一旦開放動作を終了するものであって、
　前記遊技球が通過する普通図柄始動ゲート１３，１３は、玉を遊技盤裏方向へ通過させて入賞玉とする入賞口により構成しても良く、
　前記普通変動入賞装置１５が開放状態となって開閉翼片対１６，１６が約５．８秒間開放する当り作動は往復開閉作動としても良い、パチンコ機１において、
　前記特別図柄表示装置６が大当り表示となったときに、前記普通図柄表示装置１０の当り確率を大当り作動が完了するまで、一律に高確率に維持、或いは大当りの出目によって低確率時における１／３０から１／３、１／５、１／１０の何れかの高確率に維持して、大当り作動中は、前記普通変動入賞装置１５が頻繁に開放駆動することにより、大当り作動中に盤面に打ち出された玉の一部は、前記特別変動入賞装置２２のみならず前記普通変動入賞装置１５によっても捕捉されるため、入賞玉の分散化を生じて、前記特別変動入賞装置２２による玉の捕捉を緩徐することができ、可及的に長時間の大当り作動が可能となり、遊技者の大当りを楽しむ時間が長くなる、パチンコ機１。」の発明（以下、「引用発明１」という。）が記載されていると認められる。
　　　　
　（い）本願補正発明と引用発明１との比較・検討
　（い−１）引用発明１の「盤面」は、本願補正発明の「盤面」に相当し、以下同様に、「特別入賞口２３」は「第１入賞口」に、「普通変動入賞装置１５」は「第２入賞口」に、「大当り作動中」は「大当り動作中」に、「普通図柄始動ゲート１３，１３」は「作動口」に、「パチンコ機１」は「パチンコ機」に、それぞれ相当する。
　（い−２）引用発明１の「特別入賞口２３」は、「特別図柄表示器Ｃ，Ｄ，Ｅが大当り表示となった場合には開放し、規定入賞数である１０個の遊戯球が入賞するか、最長開口時間の約３０秒間経過するかのどちらかの条件を満足すると、一旦開放動作を終了する」ものであるから、引用発明１が、本願補正発明の「盤面に配置され、大当り動作として開放され、所定時間経過後、又は所定個数の遊技球の入賞により閉止される第１入賞口」に相当する構成を有していることは、パチンコ機における技術常識から明らかである。
　（い−３）引用発明１の「普通変動入賞装置１５が配設され」の技術事項及び「普通変動入賞装置１５の下方には、幅広の特別入賞口２３を備えた特別変動入賞装置２２が配設され」の技術事項について検討すると、当該技術事項は「幅広の特別入賞口２３を備えた特別変動入賞装置２２の上方には、普通変動入賞装置１５が配設され」と表現できるから、そうすると、引用発明１が、本願補正発明の「盤面上における（前記）第１入賞口よりも上方に配置された第２入賞口」に相当する構成を有していることは、パチンコ機における技術常識から明らかである。
　（い−４）引用発明１の「普通図柄始動ゲート１３，１３」と、本願補正発明の「大当り動作中は、（前記）遊技球が通過し、又は入賞したときに（前記）第２入賞口を所定時間開放させる作動口」とを比較する。
　引用発明１においては「遊技球が普通図柄始動ゲート１３，１３を通過すると、普通図柄表示装置１０が約１０秒変動し、「７７」図柄を停止表示する当りの場合には、前記普通変動入賞装置１５が開放状態となって開閉翼片対１６，１６が約５．８秒間開放」し、「特別図柄表示装置６が大当り表示となったときに、（前記）普通図柄表示装置１０の当り確率を大当り作動が完了するまで、一律に高確率に維持、或いは大当りの出目によって低確率時における１／３０から１／３、１／５、１／１０の何れかの高確率に維持して、大当り作動中は、（前記）普通変動入賞装置１５が頻繁に開放駆動する」ものであり、「遊技球が通過する普通図柄始動ゲート１３，１３は、玉を遊技盤裏方向へ通過させて入賞玉とする入賞口により構成」しても良く、「開閉翼片対１６，１６が約５．８秒間開放する当り作動は往復開閉作動とし」ても良いものである。そうすると、引用発明１の「普通図柄始動ゲート１３，１３」と、本願補正発明の「大当り動作中は、（前記）遊技球が通過し、又は入賞したときに（前記）第２入賞口を所定時間開放させる作動口」とは、「大当り動作中は、所定の条件が成立したときに（前記）第２入賞口を所定時間開放させる作動口」において共通する。
　　
　そうすると、両者の一致点及び相違点は次のとおりである。
　一致点
　盤面に配置され、大当り動作として開放され、所定時間経過後、又は所定個数の遊技球の入賞により閉止される第１入賞口と、
　前記盤面上における前記第１入賞口よりも上方に配置された第２入賞口と、
　前記大当り動作中は、所定の条件が成立したときに前記第２入賞口を所定時間開放させる作動口と、
を有するパチンコ機。
　
　相違点
　第２入賞口を所定時間開放させる所定の条件が、本願補正発明では作動口を遊技球が通過し、又は入賞したときであるのに対し、引用発明１では普通図柄始動ゲート１３，１３（作動口）を遊技球が通過又は入賞し、普通図柄表示装置１０が変動し、「７７」図柄を停止表示する当りの場合である点。
　　
　そこで、上記相違点について検討する。
　遊技者に有利な特定の状態において、変動後の停止図柄が常に当り表示をする図柄表示装置は、例えば特開平７−２３６７３９号公報に示された「特別遊技が終了した場合、当り確率が「１／１」に変動する第２の可変入賞装置１６」（【００４６】、【００４９】、及び【図１】参照）、特開平６−１７００５４号公報に示された「特別遊技の態様として、「Ｖ」が停止表示される確率が１００％である特定識別標識可変表示手段１０７」（【００２３】、及び【００３２】参照）のように周知・慣用の技術であり、引用発明１も、普通図柄表示装置１０の当り確率は、通常時は１／３０であって、大当り作動中という特定の状態にのみ、当り確率を１／３、１／５、１／１０の何れかに向上させるものであるから、上記周知・慣用の技術を適用して、大当り作動中に、当り確率を１／１（１００％）とすることに、何ら阻害要因はない。また、当該「常に当り表示をする図柄表示装置」を省略することは、遊技のスムーズな進行を考慮して、当業者が適宜なし得る設計上の事項であるから、引用発明１において上記「所定の条件」を「作動口を遊技球が通過し、又は入賞したとき」とすることは、当業者が容易になし得ることである。
　　　
　また、引用発明１は、「長時間の大当り作動が可能となり、遊技者の大当りを楽しむ時間が長くなる」ものであるから、本願補正発明が格別の効果を奏するものとは認められない。
　
　したがって、本願補正発明は、引用発明１及び周知・慣用の技術に基づいて、当業者が容易に発明をすることができたものであるから、特許法第２９条第２項の規定により特許出願の際独立して特許を受けることができないものである。
　
　（う）補正却下の決定のむすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第三、本願発明について
　平成２０年１月１６日付けの手続補正は上記のとおり却下されることとなったので、本願の請求項１乃至４に係る発明は、上記平成１９年１１月２日付けで補正された明細書の記載からみて、その特許請求の範囲の請求項１乃至４に記載された事項により特定されるものと認められるところ、その請求項１に記載された発明（以下、「本願発明」という。）は、前記「第二、（１）」に補正前として記載したとおりである。
　
　（ア）刊行物に記載された発明
　原査定の拒絶理由に引用された引用刊行物１（特開平６−３３５５６２号公報）に記載された事項は前記「第二、（２）（あ）刊行物に記載された発明」に記載された事項と同様であるから、援用する。
　
　（イ）本願発明と引用発明との対比・判断
　本願補正発明は、前記「第二、（１）」で検討したように、本願発明を特定するために必要な事項である「第２入賞口」の修飾語句について「第１入賞口へ入賞する（前記）遊技球の経路途中に配置された」を「第１入賞口よりも上方に配置された」と補正し、同「少なくとも（前記）第１入賞口の開放動作中は、」を「（前記）大当り動作中は、」と補正し、同「作動口」の修飾語句について「（前記）第２入賞口を所定時間開放し、又は開閉を繰り返すようにさせるための」を「（前記）第２入賞口を所定時間開放させる」と補正したものである。
　そうすると、本願補正発明は、本願発明の発明特定事項を全て含み、さらに他の発明特定事項を付加したものに相当するものであって、その本願補正発明が、前記「第二、（２）（い）」に記載したとおり、引用発明１及び周知・慣用の技術に基づいて、当業者が容易に発明をすることができたものであるから、本願発明も、同様の理由により、引用発明１及び周知・慣用の技術に基づいて、当業者が容易に発明をすることができたものである。
　
　（ウ）むすび
　以上のとおり、本願発明は、引用発明１及び周知・慣用の技術に基づいて、当業者が容易に発明をすることができたものであるから、特許法第２９条第２項の規定により特許を受けることができないものであり、本願の他の請求項に係る発明について検討するまでもなく、本願は拒絶すべきものである。
　よって、結論のとおり審決する。